(57)【特許請求の範囲】
【請求項１】
アダプタレンズを保持し、前記アダプタレンズをカメラの撮影レンズに前に配置するように前記カメラに取り付けられるとともに、被係止部が形成されたアダプタ本体と、
前記被係止部に爪結合する係止部が設けられており、前記係止部を被係止部に爪結合することで前記アダプタ本体に取り付けられるカバー部材と、
外部から両端が前記カバー部材を通して前記アダプタ本体との間に挿通され、挿通した両端が抜け止めのために輪状にされるストラップ紐と、を備えた撮影用アダプタであって、
前記被係止部は、外部から前記ストラップ紐に張力が作用する張力方向に沿って前記係止部に爪結合されるとともに、
前記被係止部の一部に、前記ストラップ紐の末端を、輪状にした状態で、前記張力方向とは逆の方向から引っ掛けるための引っ掛け部を設けたことを特徴とする撮影用アダプタ。
【請求項２】
前記引っ掛け部は、凹部となっていることを特徴とする請求項１記載の撮影用アダプタ。
【請求項３】
前記係止部及び被係止部を、爪部と前記爪部を先端に形成した支持部とでそれぞれ構成し、
前記引っ掛け部は、前記被係止部の爪部と支持部との間に設けられており、
前記係止部の爪部を被係止部の爪部に爪結合したときに、前記係止部の爪部が被係止部の支持部との間で前記ストラップ紐を前記引っ掛け部から外れないように押えることを特徴とする請求項１又は２記載の撮影用アダプタ。
【発明の詳細な説明】
【０００１】
【発明の属する技術分野】
本発明は、例えばカメラやレンズ付きフイルムユニットに装着して使用されるアダプタに関するものである。
【０００２】
【従来の技術】
従来、カメラやレンズ付きフイルムユニットに取り付けて望遠、広角、及び接写のうちのいずれかの撮影を可能する撮影用アダプタが特開２０００−３３０１７９号公報や特開平７−２０５５３号公報などに提案されている。このような撮影用アダプタは、カメラやレンズ付きフイルムユニットに組み込まれた撮影レンズの前方に、アダプタレンズ（コンバージョンレンズ）を挿入する。
【０００３】
前述した撮影用アダプタには、カメラとの取り付けを簡易にするため、又は携帯するためのストラップ紐を用いているものがある。このような紐は、一般的にカバー部材などに固定される。そして、そのカバー部材をアダプタに取り付けることで、紐の末端、例えば結び目などをカバー部材で隠すことができる。
【０００４】
【発明が解決しようとする課題】
しかしながら、ストラップ紐を持って振り回すような使い方が行われると、紐を掛けたカバー部材よりもアダプタ本体の方が重いため、カバー部材がアダプタ本体から外れてしまう恐れがある。また、ストラップ紐を強く引っ張るような使い方によってもカバー部材がアダプタ本体から外れてしまう恐れがある。カバー部材が外れると、アダプタ本体が落下して壊れてしまう。
【０００５】
本発明は上記事情を考慮してなされたもので、ストラップ紐が挿入されるカバー部材の外れを防止するように工夫したアダプタを提供することを目的とする。
【０００６】
【課題を解決するための手段】
本発明は、上記目的を達成するために、アダプタ本体に設けた被係止部が、外部から前記ストラップ紐に張力が作用する張力方向に沿って係止部に爪結合するとともに、アダプタ本体に設けた被係止部の一部に、カバー部材を通したストラップ紐の両端を、輪状にした状態で、外部から前記張力方向とは逆の方向から引っ掛けるための引っ掛け部を設けたものである。このようにアダプタ本体に設けた被係止部に、カバー部材を通したストラップ紐の両端を輪状にした状態で引っ掛ける引っ掛け部を設けたから、ストラップ紐を強く引っ張ってもカバー部材にストラップ紐の張力が作用することがなく、よってカバー部材がアダプタ本体から外れることがない。このため、例えばカバー部材が取れて、アダプタレンズを保持する重たいアダプタ本体がカメラから外れて壊れるなどの不都合を未然に解消することができる。
【０００７】
【発明の実施の形態】
本発明の撮影用アダプタを望遠撮影用アダプタとして説明する。望遠撮影用アダプタ１０は、図１ないし図３に示すように、レンズ付きフイルムユニット１１に取り付けて使用する。周知のように、レンズ付きフイルムユニット１１には、撮影レンズ１２、シャッタボタン１３、巻上げノブ１４、及びファインダー対物レンズ１５などが外部に露呈して設けられており、内部には、その製造時に予め写真フイルムがパトローネとともに装填されている。撮影レンズ１２は、前面中央上方寄りに断面円形で突出した鏡筒１６に内蔵されている。鏡筒１６は、前方に向けて矩形状に突出した台座部１７に設けられている。台座部１７の上方の一部は、レンズ付きフイルムユニット１１の上面にかかって突出している。
【０００８】
レンズ付きフイルムユニット１１は、撮影レンズ１２の焦点距離がほぼ１００ｍｍ程度である望遠タイプとなっている。撮影レンズ１２以降の撮影光軸は、内部に組み込んだ２枚のミラー４０，４１でＺ形に折り曲げられている。このため、鏡筒１６を極端に前方に突出させることなく、またレンズ付きフイルムユニット１１の厚みを増やすことなく、全体としてコンパクトな形態となっている。なお、図３に示す符号４２は、アパーチャーにセットされた写真フイルム４２を示している。
【０００９】
レンズ付きフイルムユニット１１のファインダー対物レンズ１５は、逆ガリレオ式のファインダー光学系を構成する一部となっている。ファインダー光学系で得られる視野範囲は、撮影レンズ１２の焦点距離（撮影画角）に応じて決められている。したがって、このレンズ付きフイルムユニットを用いるだけでも、焦点距離１００ｍｍ程度の望遠撮影を行うことができる。
【００１０】
望遠撮影用アダプタ１０は、アダプタ本体２０、後カバー２１、ストラップ紐２２、及び視野制限枠２３とから構成されている。アダプタ本体２０は、レンズ付きフイルムユニット１１の鏡筒１６を含む前面を部分的に覆う。後カバー２１は、レンズ付きフイルムユニット１１の上面を部分的に覆う。その後カバー２１には、伸縮自在なゴム製のストラップ紐２２が取り付けられている。
【００１１】
視野制限枠２３は、アダプタ本体２０に一体に設けられており、レンズ付きフイルムユニット１１のファインダー対物レンズ１５の前でそのファインダー視野を制限する。これにより、レンズ付きフイルムユニット１１のファインダー視野は、撮影用アダプタ１０を取り付けたときの撮影範囲と同じに視野となる。
【００１２】
アダプタ本体２０には、レンズ収納部２５、底板２６、及びフック２７などが一体に形成されている。底板２６は、レンズ付きフイルムユニット１１の底面１１ａを支持する。レンズ収納部２５は、撮影レンズ１２の前方の撮影光軸１２ａ上に位置しており、断面筒状となった内部には受け板２９が一体に形成されている。受け板２９の前には、被写体側から順に前止め輪３０、第１レンズ３１、遮光筒３２、及び第２レンズ３３が収納される。
【００１３】
第１及び第２レンズ３１，３３は、テレコンバージョンレンズを構成する。受け板２９には、露光開口３４が形成されており、露光開口３４の前面には第２レンズ３３の鍔の後面を受けるレンズ受け部３５が設けられている。また露光開口３４の後面には、レンズ付きフイルムユニット１１の鏡筒１６を受ける鏡筒受け部３６が設けられている。なお、テレコンバージョンレンズはアフォーカルレンズ系で、撮影レンズ１２との合成焦点距離を例えば１４０ｍｍに延長する。
【００１４】
遮光筒３２は、断面筒状をしており、第１及び第２レンズ３１，３３の間隔を一定間隔に保持する間隔環の機能をもっている。このため、遮光筒３２の前面３７には、第１レンズ３１の鍔の後面に当接する突起３７ａが設けられている。また、遮光筒３２の後端には、撮影光軸１２ａに向けて突出したフレア防止用の遮光枠３８が形成されており、その遮光筒３２の後面３９に第２レンズ３３の鍔の前面に当接する突起３９ａが設けられている。遮光枠３８は、縁の輪郭が円形となっており、第１レンズ３１を通った被写体光のうちの遮光筒３２の内面で反射する光の一部をカットする。
【００１５】
第１レンズ３１は、遮光筒３２の前面に挿入される。前止め輪３０は、レンズ収納部２５との間で係止され、レンズ収納部２５から第１レンズ３１が抜け出すことを防止する。
【００１６】
後カバー２１には、係止部５０と、ストラップ紐２２を挿通するための２個の穴５１，５２とが一体に形成されている。係止部５０は、所定間隔離して２個並んで配されており、それぞれ支持部５０ａと爪部５０ｂとから構成されている。支持部５０ａは、弾性自在となっており、撮影光軸１２ａの前方に向けて突出している。図４及び図５に示すように、爪部５０ｂは、支持部５０ａの先端に設けられており、下向きに爪が突出して形成されている。これら係止部５０には、アダプタ本体２０に設けた被係止部５３に係止される。
【００１７】
アダプタ本体２０の被係止部５３は、支持板５３ａと爪部５３ｂとから構成されている。支持板５３ａは、受け板２９の後面の上方から撮影光軸１２ａの後方に向けて突出し、上向きにＵ字状に折れ曲がって撮影光軸１２ａの前方に向かっている。その支持板５３ａの先端に、係止部５０の爪部５０ｂと係止したときに後カバー２１をアダプタ本体２０から外れないように結合する爪部５３ｂが形成されている。その爪部５３ｂの幅は、前記２個の係止部５０の爪部５０ｂを一緒に係止することのできる長さとなっている。
【００１８】
被係止部５３の爪部５３ｂとその下の支持板５３ａとの間には、上向きにＵ字状に折り曲げることで隙間５３ｃが生じている。その隙間５３ｃが、ストラップ紐２２の一部を引っ掛ける引っ掛け部となっている。ストラップ紐２２は、後カバー２１の２個の穴５１，５２から挿通した両端を結んだ結び目２２ａを作った後に、隙間５３ｃに引っ掛けられる。
【００１９】
後カバー２１は、レンズ付きフイルムユニット１１の上面を覆って底板２６との間でレンズ付きフイルムユニット１１を挟み込む。ストラップ紐２２は、レンズ付きフイルムユニット１１の背面側に回し、アダプタ本体２０の底板２６の前方に設けられたフック２７に掛けられる。
【００２０】
次に、上記構成の作用を説明する。望遠撮影用アダプタ１０をレンズ付きフイルムユニット１１に取り付ける。この取り付けは、後カバー２１の底を台座部１７の上面１７ａに合わせるように撮影用アダプタ１０を取り付ける。すると、底板２６がレンズ付きフイルムユニット１１の底面１１ａに当接し、レンズ付きフイルムユニット１１が後カバー２１と底板２６との間で挟装される。そしてレンズ付きフイルムユニット１１の鏡筒１６が、鏡筒受け部３６に当接する。これにより、撮影レンズ１２から一定距離前方に離れた位置に第２レンズ３３が位置決めされる。第２レンズ３３と第１レンズ３１とは、遮光筒３２により一定間隔に保持される。これにより、テレコンバージョンレンズを撮影レンズ１２の前に正確に挿入することができる。
【００２１】
その後、ストラップ紐２２をレンズ付きフイルムユニット１１の背面から底面を通して前側のフック２７に掛けることによって撮影用アダプタ１０をレンズ付きフイルムユニット１１に保持することができる。
【００２２】
この状態では、係止部５０の爪部５０ｂが被係止部５３の爪部５３ｂに係止され、後カバー２１がアダプタ本体２０に頑固に結合している。また、ストラップ紐２２は、後カバー２１とアダプタ本体２０との内部で両端を結んで結び目２２ａを作り、その結び目２２ａの近傍の一部を被係止部５３の爪部５３ｂと支持板５３ａとの間の隙間５３ｃに引っ掛けることで、穴５１，５２から抜け出ることが阻止されている。隙間５３ｃは、アダプタ本体２０に形成されている。このため、ストラップ紐２２を強く引っ張っても後カバー２１にはその力が及ばす、アダプタ本体２０に及ぶ。このため、後カバー２１が外れる、という不都合を解消することができる。しかも、被係止部５３の支持板５３ａの先端をストラップ紐２２の抜け方向とは逆側に折り曲げて形成した隙間５３ｃを引っ掛け部としているため、ストラップ紐２２の抜け止めを頑固に行うことができる。
【００２３】
レンズ付きフイルムユニット１１のファインダー対物レンズ１５の前には、視野制限枠２３が配される。視野制限枠２３は、ファインダー光学系を通して観察される視野範囲を前記合成焦点距離に対応して狭める。したがって、この望遠撮影用アダプタ１０を使用するときには、予めファインダー視野範囲が合成焦点距離に対応する範囲に調節されることになり、ユーザは通常どおりファインダーを通してフレーミングを行えばよい。
【００２４】
このような望遠撮影用アダプタ１０を適宜に併用することによって、ユーザは図１のレンズ付きフイルムユニット単体を用いて１００ｍｍ程度の望遠撮影と、１４０ｍｍ程度の望遠撮影とのいずれかを任意に選択することができる。また、携帯時には望遠撮影用アダプタ１０をレンズ付きフイルムユニット１１から取り外せばよく、例えば１４０ｍｍの望遠撮影専用のレンズ付きフイルムユニットを使用するよりも、撮影の態様を増やし、携帯も簡便になる。
【００２５】
上記実施形態では、撮影用アダプタ１０をレンズ付きフイルムユニット１１用としているが、写真用カメラや電子スチルカメラ用としてもよい。また、アダプタレンズとしてはテレコンバージョンレンズとしているが、ワイドコンバージョンレンズや、接写レンズ（クローズアップレンズ）などを組み込んだ撮影用アダプタとしてもよい。ストラップ紐２２としては、上記実施形態のようにカメラ側に取り付けるための紐に限定することはなく、携帯時に手に掛けるためのストラップバンドなどでもよい。上記実施形態では、カバー部材として後カバー２１としているが、これに限らず、アダプタ本体に取り付けられる外装カバーであれば、何れのカバー部材でもよく、また、グリップやつまみなどを一体にもったカバー部材でもよい。
【００２６】
また、引っ掛け部としては、結び目２２ａが入り込む凹部の両側に結び目２２ａの両端を引っ掛けるフックを一対設ける構成としてもよい。このようにすると、さらに頑固な抜け止めを行うことができる。さらに、引っ掛け部としては、Ｕ字状の隙間５３ｃやフック形状に限らず、爪や突起形状などでもよい。引っ掛け部を設ける位置としては、爪部５３ｂに限らず、支持板５３ａに突出して設けてもよい。
【００２７】
【発明の効果】
上述のとおり、本発明の撮影用アダプタによれば、アダプタ本体に設けた被係止部の一部に、ストラップ紐の両端を輪状にした状態で引っかける引っ掛け部を設けたから、ストラップ紐を強く引っ張る操作を行っても、カバー部材が外れることがない。このため、カバー部材が外れて重要なアダプタ本体がカメラから外れて落下して壊れる、という不都合を確実に防止することができる。また、引っ掛け部を被係止部と兼用したから、ローコストになる。
【図面の簡単な説明】
【図１】望遠撮影用アダプタとレンズ付きフイルムユニットとを示す斜視図である。
【図２】望遠撮影用アダプタを示す分解斜視図である。
【図３】レンズ付きフイルムユニットに装着した状態の望遠撮影用アダプタを示す断面図である。
【図４】望遠撮影用アダプタを示した斜視図であり、正面中央縦に破断して示している。
【図５】係止部と被係止部とを拡大して示す説明部である。
【符号の説明】
１０  撮影用アダプタ
１１  レンズ付きフイルムユニット
１２  撮影レンズ
３２  遮光筒
３１  第１レンズ
３３  第２レンズ
２５  フイルム収納部
２０  アダプタ本体
５０  係止部
５３  被係止部
５３ｃ  隙間（引っ掛け部）
【図１】
0003633569.tif 000002
【図２】
0003633569.tif 000003
【図３】
0003633569.tif 000004
【図４】
0003633569.tif 000005
【図５】
0003633569.tif 000006